(57)【要約】【課題】  従来における袋の上端側の開口部にノッチを形成した場合には、花屋において切り花を購入して店員が切り花を袋に入れる際に、袋の上端側を広げる時や花を袋に入れる時に茎が前記ノッチに引っ掛かって袋を破ってしまうといった問題があった。【解決手段】  合成樹脂フィルム１１，１２の２枚を両側において熱溶着して円錐状に形成した包装用袋であって、前記２枚のフィルムの少なくとも一枚に、上下端開口部と直交する方向に切り裂き用ミシン目１２ａを形成した切り花の包装用袋である。【選択図】        図１
2007106429.tif 000002
【特許請求の範囲】
【請求項１】
合成樹脂フィルムの２枚を両側において熱溶着して円錐状に形成した包装用袋であって、前記２枚のフィルムの少なくとも一枚に、上下端開口部と直交する方向に切り裂き用ミシン目を形成したことを特徴とする切り花包装用袋。
【請求項２】
合成樹脂フィルムの２枚を両側において熱溶着して円錐状に形成した包装用袋であって、前記２枚のフィルムの一面に、周囲に切り込み線が形成された切取り片を形成し、この切取り片および周囲のフィルム面に摘み片を接着し、かつ、該摘み片は前記フィルムを引き裂く方向の先端がフィルムとは無接着状態とされていることを特徴とする切り花包装用袋。
【請求項３】
前記摘み片に水の腐敗防止剤および花の栄養剤の少なくとも何れか１剤を含浸させたことを特徴とする請求項２記載の切り花包装用袋。
【請求項４】
フィルムの延伸方向を前記ミシン目や切り込み線と同じ方向切り易い延伸方向としたことを特徴とする請求項１または２記載の切り花包装用袋。
【請求項５】
合成樹脂フィルムの２枚を両側において熱溶着して円錐状に形成した包装用袋であって、前記熱溶着辺における下端に近接した位置に、指を挿入するための切欠部を形成したことを特徴とする切り花包装用袋。
【請求項６】
合成樹脂フィルムの２枚を両側において熱溶着して円錐状に形成した包装用袋であって、前記熱溶着辺の下端に近接した位置から下端開口部にわたって斜めにカットしたことを特徴とする切り花包装用袋。
【発明の詳細な説明】
【技術分野】
【０００１】
本発明は、口広の上端および口狭の下端が開口された切り花の包装用袋であって、該袋に切り花を入れた状態から花を傷めることなく袋から容易に取り出すことが可能なようにした切り花の包装用袋に関する。
【背景技術】
【０００２】
従来におけるこの種の切り花の包装用袋としては、例えば、実開平０６−３４４３０号公報や実開平０６−７６１６５号公報に開示されているものがある。この公報に開示されているように、ポリプロピレン等の合成樹脂フィルムを長手方向の一辺で折り、他辺を熱溶着によって接合して上下端が開口された円錐状の袋としたものである。
【特許文献１】実開平０６−３４４３０号公報
【特許文献２】実開平０６−７６１６５号公報
【発明の開示】
【発明が解決しようとする課題】
【０００３】
そして、前記した袋の上端開口部から切り花の茎側から挿入し、該茎側を下端開口部から外部に導出し、その後、下端開口部を輪ゴム等で縛って販売するものである。購入した客は自宅等に持ち帰り前記輪ゴムを外して切り花を袋から取り出して花瓶等に生けるが、切り花を袋から取り出す時に花を持って袋に対して引っ張ると、花を傷める可能性がある。
【０００４】
そこで、袋を破ることが考えられるが、袋は合成樹脂フィルム等の比較的強靱な材質で構成されているので、上端側の開口部にノッチを形成し、このノッチから引き裂くようにして行うしか方法がない。
【０００５】
しかし、このように袋の上端側の開口部にノッチを形成した場合には、花屋において切り花を購入して店員が切り花を袋に入れる際に、袋の上端側を広げる時や花を袋に入れる時に茎が前記ノッチに引っ掛かって袋を破ってしまうといった問題があった。
【０００６】
特に、図５に示すように、ポリプロピレン等の熱溶着可能な合成樹脂材料で形成された袋１の裏面側フィルム１１における上端側の開口部を延長して延長片１１ａとなし、かつ、この延長片１１ａの表面側フィルム１２の開口部と一致する部分に切取り線１１ｂを施しておく。そして、このように形成した袋１を多数枚重ねた状態において前記延長片１１ａどうしを熱溶着等の手段によって一体化する。このように構成した袋１を前記延長片１１ａに形成されている孔１１ｃを利用して吊るしておき、切り花を袋１に挿入する時に表面側フィルムの開口部を開いて切り花を差し入れて、その後、前記切取り線１１ｂから袋を延長平１１から切り離して販売している。
【０００７】
このような販売方法を採用している場合には、前記したような袋の破損はより多くなり、また、購入した客が持ち歩く際に誤ってノッチの部分から破ってしまうということがあった。
【０００８】
本発明は前記した問題点を解決せんとするもので、その目的とするところは、切り花を収納した状態において花を傷めることなく容易に袋を破くことができ、しかも、重ねられた状態の袋に対して切り花を入れる時、生け花を入れた袋を他の袋から切り離す時および購入した客が持ち帰る途中で袋が破けることがない切り花の包装用袋を提供せんとするにある。
【課題を解決するための手段】
【０００９】
本発明の切り花の包装用袋は前記した目的を達成せんとするもので、請求項１の手段は、合成樹脂フィルムの２枚を両側において熱溶着して円錐状に形成した包装用袋であって、前記２枚のフィルムの少なくとも一枚に、上下端開口部と直交する方向に切り裂き用ミシン目を形成したことを特徴とする。
【００１０】
請求項２の手段は、合成樹脂フィルムの２枚を両側において熱溶着して円錐状に形成した包装用袋であって、前記２枚のフィルムの一面に、周囲に切り込み線が形成された切取り片を形成し、この切取り片および周囲のフィルム面に摘み片を接着し、かつ、該摘み片は前記フィルムを引き裂く方向の先端がフィルムとは無接着状態とされていることを特徴とする。
【００１１】
請求項３の手段は、前記した請求項２において、前記摘み片に水の腐敗防止剤および花の栄養剤の少なくとも１剤を含浸させたことを特徴とする。
【００１２】
請求項４の手段は、前記した請求項１または２において、フィルムの延伸方向を前記ミシン目や切り込み線と同じ方向切り易い延伸方向としたことを特徴とする。
【００１３】
請求項５の手段は、合成樹脂フィルムの２枚を両側において熱溶着して円錐状に形成した包装用袋であって、前記熱溶着辺における下端に近接した位置に、指を挿入するための切欠部を形成したことを特徴とする。
【００１４】
請求項６の手段は、合成樹脂フィルムの２枚を両側において熱溶着して円錐状に形成した包装用袋であって、前記熱溶着辺の下端に近接した位置から下端開口部にわたって斜めにカットしたことを特徴とする。
【発明の効果】
【００１５】
本発明は前記したように、上下端開口部と直交する方向に切り裂き用ミシン目を形成したことにより、ミシン目が形成されている両側を掴んで引っ張れば手が花に触れることなく袋を裂いて花の取り出しが簡単に行え、また、ミシン目と同じ方向に裂き易い延伸とすることで、裂け目が真っ直ぐ行われ袋を綺麗に破くことができる。
【００１６】
また、周囲に切り込み線が形成された切取り片を形成し、この切取り片および周囲のフィルム面に摘み片を接着し、かつ、該摘み片は前記フィルムを引き裂く方向の先端がフィルムとは無接着状態としたことにより、摘み片の無接着部を持って引くことで切取り片が摘み片によって引かれ袋が裂かれるので、花の取り出しが簡単に行え、かつ、切取り片の表面側には摘み片が接着されているので、切り花を袋に入れる時に茎によって切取り片が破けることがなく、また、前記摘み片に水の腐敗および花の栄養剤を含浸させておくことで、花を購入した客が花を生ける時に花瓶等に摘み片を入れることで、花が長期間にわたって咲き、さらに、切り込み線と同じ方向に裂き易い延伸とすることで、裂け目が真っ直ぐ行われ袋を綺麗に破くことができる。
【００１７】
また、熱溶着辺における下端に近接した位置に、指を挿入するための切欠部を形成し、あるいは、熱溶着辺の下端に近接した位置から下端開口部にわたって斜めにカットしたことにより、前記切欠部あるいはカットした部分に指を入れて引き上げることで袋は熱溶着片から簡単に裂かれ、花の取り出しが簡単に行える等の効果を有するものである。
【発明を実施するための最良の形態】
【００１８】
本発明は、切り花を収納した状態において花を傷めることなく容易に袋を破くことができるようにした切り花の包装用袋である。
【実施例１】
【００１９】
以下、本発明に係る切り花の包装用袋の第１の実施例を図１と共に説明する。なお、前記した図５と同一符号は同一部分を示し説明は省略する。また、図示した図面は、図５に示す延長片１１ａから切り離した状態を示している。
この実施例では、包装用袋１（以下、単に袋という）は、従来例で示した図５と同じ構成であるが、異なる点は裏表面フィルム１１，１２の両方あるいは何れか１枚のフィルムミシン目１２ａを形成したものである。
【００２０】
このように形成した袋１を図５と同様に店の壁等に吊り下げておく。そして、客が購入した切り花を包装する場合には、表面側のフィルム１２を手前側に引っ張って裏面側のフィルム１１との開口部を押し広げて、切り花の茎側から挿入し、その後、切取り線１１ｂから裏面側のフィルム１１を延長片１１ａから切断する。さらに、袋１から切り花が落ちないように袋１の下端側において輪ゴム等で止めて客に渡す。
【００２１】
前記した袋１に収納された切り花を持ち帰った客は、輪ゴムを外した後にミシン目１２ａの左右を指で持って矢印で示す左右方向に引っ張ることにより、表面側のフィルム１２は縦方向に引き裂かれるので、容易に切り花を袋１から取り出すことができる。
【００２２】
なおミシン目１２ａを形成したフィルムを、該ミシン目と同じ方向に切り易い延伸とすることで、ミシン目１２ａに沿って直線的に切り開かれるので、切り花の袋１よりの取り出しを極めて容易に行うことができる。また、前記した説明にあっては、生花店において袋を使用する場合について説明したが、花束を大量に一括生産する場合は、花束加工向上でコンベアー作業で大量生産する場合にも応用することがでできる。
【実施例２】
【００２３】
次に、第２の実施例を図２と共に説明する。
この実施例にあっては、裏面あるいは表面側のフィルム１１，１２の何れか（図示にあっては表面側のフィルム１２）における略中央下部に大きい開口部側に向かって切り込み線を形成したＵ字状の切取り片１２ｂを袋１の製作時に形成する。そして、この切取り片１２ｂの上面に接着剤が塗布された接着部２１を有する摘み片２を接着固定したものである。なお、この摘み片２の下側（切取り片１２ｂを引き裂く方向の先端部分）は無接着部２２となっている。
【００２４】
このように構成した袋１にあっては、切り花を袋１から取り出すには、袋１の下部を一方の手で握り、摘み片２の無接着部２２を他方の指で持って上方に引き上げると、摘み片２の接着部２１に接着されている切取り片１２ｂが一緒に引き上げられるので、袋１の表面側フィルム１２は縦方向に引き裂かれる。従って、引き裂かれた袋１の下方にある切り花の茎を持って袋１の下部から引き抜くことで切り花を取り出すことができる。
【００２５】
前記第２の実施例において、摘み片３に水の腐敗防止剤および花の栄養剤を含浸させておくことで、切り花を生けた花瓶等に摘み片２を袋１から外して入れることで、花瓶内の水が腐食せず、かつ、花に栄養を与えることができ、従って、花を長期間にわたて愛でることができる。
【００２６】
また、フィルム１１，１２の延伸方向を切取り片１２ｂの引き上げる方向と同じ方向に切り易い延伸とすることで、切取り片１２ｂが略直線的に引っ張られるので袋１は直線的に真っ二つに切り裂かれ、これにより、切り花の袋１よりの取り出しが極めて容易に行える。
【実施例３】
【００２７】
次に、第３の実施例を図３と共に説明する。
この実施例にあっては、裏表フィルム１１，１２の熱溶着を行った１つの溶着辺１３における下端に近接した位置に、指を挿入することが可能な大きさの切欠部１３ａを形成したものである。
【００２８】
このように構成した袋１にあっては、図３（ｂ）に示すように切欠部１３ａに指を挿入し上方に指を引き上げると、前記溶着部分は引き裂かれて２枚のフィルム１１，１２は分離され袋１は開放される。従って、前記した各実施例と同様に切り花を取り出すことが簡単に行えることとなる。なお、この実施例においては、フィルムの延伸方向には関係なく溶着部分に沿って引き裂くことが可能である。
【実施例４】
【００２９】
次に、第４の実施例を図４と共に説明する。
この実施例は前記した第３の実施例と同様に熱溶着部分から指で引き裂くことで同じであるが、この実施例にあっては、下端に近接した位置から下端開口部にわたって斜めにカットしたカット口１３ｂを形成した点でことなるものである。そして、前記第３の実施例と同様にカット口１３ｂに指を差し込み上方に引き上げることで２枚のフィルム１１，１２は分離され袋１は開放される。
【００３０】
なお、前記した第３の実施例にあっては、切り花を袋１に差し入れる場合に、茎が切欠部１３ａ内に入り込み、該切欠部１３ａより下側の溶着部分を切り裂く可能性があるが、この実施例の場合には斜めにカットしたカット口１３ｂであることから、茎によって溶着部分が切り裂かれることがないものである。
【図面の簡単な説明】
【００３１】
【図１】本発明に係る切り花の包装用袋の第１の実施例を示す正面図である。
【図２】第２の実施例を示す正面図である。
【図３】（ａ）は第３の実施例を示す正面図、（ｂ）は切り裂き方を示す正面図である。
【図４】（ａ）は第４の実施例を示す正面図、（ｂ）は切り裂き方を示す正面図である。
【図５】従来の包装用袋を積層した状態を示す斜視図である。
【符号の説明】
【００３２】
１          包装用袋
１１        裏面側フィルム
１２        表面側フィルム
１２ａ      ミシン目
１２ｂ      切取り片
１３        溶着辺
１３ａ      切欠部
１３ｂ      カット口
２          摘み片
２１        接着部
２２        無接着部
【図１】
2007106429.tif 000003
【図２】
2007106429.tif 000004
【図３】
2007106429.tif 000005
【図４】
2007106429.tif 000006
【図５】
2007106429.tif 000007